(57)【要約】      （修正有）【課題】従来方法を改良して従来の手動作業によらずに全自動化の装置を提供する。【解決手段】インフルエンザ用ワクチン及び動物用ワクチンの製造に必要な有精卵を検卵する装置において、無精卵と有精卵の判別及び有精卵内の血管の発育状態を確認する第１次検査部と、前記第１次検査部の情報を受けて無精卵と発育異常卵とを吸引して廃棄卵入れに移動する無精卵及び発育異常卵排出部と、前記無精卵及び発育異常卵排出部の情報を受けかつ空いた部分へ検卵済みの良質の有精卵を自動供給する優良卵供給部と、前記優良卵供給部から供給されてきた有精卵を再度検卵して検卵ミスが無いように再確認して発育鶏卵の検査制度を高める第２次検査部と、前記２次検査終了後に卵を検卵機に戻して次工程に待機させておく卵取出部とから構成される有精卵自動検卵装置の提供。【選択図】図１
2011169626.tif 000002
【特許請求の範囲】
【請求項１】
インフルエンザ用ワクチン及び動物用ワクチンの製造に必要な有精卵を検卵する装置において、孵卵機から引き出した台車から有精卵の入ったトレーを取出用パレットに乗せ移動させて検卵作業に搬送する卵投入部と、前記卵投入部から搬送されたトレーに入っている有精卵を下部から押し上げ上下に移動して有精卵の歪み位置を正常に整列する卵整列部と、前記卵整列部で数列に並んだ数十個の有精卵を１列おきに下部の卵座で持ち上げかつハロゲン・ランプの光に押し当て、更に無精卵と有精卵の判別及び有精卵内の血管の発育状態を確認する第１次検査部と、前記第１次検査部の情報を受けて無精卵と発育異常卵とを吸引して廃棄卵入れに移動する無精卵及び発育異常卵排出部と、前記無精卵及び発育異常卵排出部の情報を受けかつ空いた部分へ検卵済みの良質の有精卵を自動供給する優良卵供給部と、前記優良卵供給部から供給されてきた有精卵を再度検卵して検卵ミスが無いように再確認して発育鶏卵の検査制度を高める第２次検査部と、前記２次検査終了後に卵を検卵機に戻して次工程に待機させておく卵取出部とから構成される検卵装置に画像で検卵処理する画像処理システムと画像で検卵処理する画像処理用カメラとを付設し、前記システムとカメラを介して検卵部でライトアップしたのち画像処理にて良否判定を行うとともに、不良品と自動的に取り出して卵内血管の発育状態と活力とを人の目視により確認可能とし、かつ複数卵の発育状態を離れた位置で画像判定を可能にしたことを特徴とする有精卵自動検卵装置。
【発明の詳細な説明】
【技術分野】
【０００１】
本発明は、インフルエンザ用ワクチン及び動物用ワクチンなどの製造原料に使用されている鶏卵の検索方法に関するが、詳しくは有精卵と発育無精卵とを選別するとともに有精卵の優良卵と発育異常卵との選別を可能にした有精卵自動検索装置に関するものである。
【背景技術】
【０００２】
従来から一般に行われている検卵方法は、一人の作業員が電球の明かりを卵に当て発育状態を確認する方法で行われていた。従って、作業員の職人化及び選別の確率化問題が生じていた。
【特許文献１】特許第３９９８１８４号  特許第３９９８１８４号の有精卵検査装置は、有精卵を配置する検査用ホイルと有精卵内部に光を照射する照明装置を有する照明部と卵内部のカラー画像を撮像する画像撮像部と撮像したカラー画像を用いて正常卵判定を行う処理部とを備えた有精卵の検査装置であり、前記検査用ホイルは昇降・回転ユニットにより昇降および回転自在に支持され、前記照明部は先端部が柔らかい材質で構成され内部に照明装置が配置される照明用筒を備え、前記画像撮像部は遮光性のある撮影用筒を備えることを特徴とする有精卵の検査装置である。具体的な検査装置は、図１８〜図２１に示すように構成されている。
【０００３】
まず検査装置では、専用トレイで搬送された多数の卵を検査用ホイルに１個毎に移載し、整列コンベアにて複数個並ピック＆プレスで複数個を一度に画像撮像部へ搬送し、ついで搬送された卵はホイル支持台を上昇させ画像処理時の外乱を防ぐため、遮光性のある撮影用の筒に入れる。なお、撮影用筒の上部には照明装置の入った照明装置内蔵用の筒があり、その筒の先が卵に接するまでホイル支持台を上昇させ卵を気室側より照明し、更に照明内蔵用筒の先端部は卵形状やサイズが異なってもその先端から外部に照明光が漏れないよう柔らかい材質で構成している。
【０００４】
このように構成することによって、卵表面での照明光の反射が防止でき、卵内部のみを通過した照明光をカラーＣＣＤカメラにより撮像して卵内部の色情報を得ることが可能となり、またカラーＣＣＤカメラは撮影用筒の反対側に設置し支持台の上昇端で１枚目の卵画像を撮影する。撮影後は、撮影完了信号にて９０度支持台を回転させて停止後２枚目を撮影する。同様に、３・４枚目を撮影し１つの検査卵に対して４方向からの画像を得て、これらを用いて正常卵判定処理を行う。４枚目の画像撮影完了信号にて、支持台を下降させ次に卵が整列コンベアより搬送されると、撮影済み卵は画像撮像部より押し出され選別コンベアで受ける。なお、画像の撮影後から選別コンベアに移載されるまでの間に撮影した卵の正常卵判定処理を行い、選別コンベアに判定結果の信号を出力するように構成されている。
【発明の開示】
【発明が解決しようとする課題】
【０００５】
このような従来公知の検査装置に改良を加えて更に良質の検卵装置に対するところに本発明が解決しようとする課題を有する。すなわち、本発明は発育しつつある有精卵の卵殻に光を当てて卵内の血管の発育状態及び活力を確認することは従来と変わらないが、ハロゲンランプの強い光を複数の卵に同時に当て離れた位置から見ることにより、複数の卵の発育状態を比較ができるとともに確実に優良な発育卵と不良卵を複数の作業員でもって確認することができる。その結果、従業員の学習ができるので作業員の職人化を防止することがきるとともに誰れにでも検卵作業の交替がきることになる。特に、１個つづ判断するものではなく複数の卵を同時に比較検査することが可能となるので、従来方法よりも判断レベルが向上することでワクチン製法上、品質及び有効率向上を図ることができる。
【課題を解決するための手段】
【０００６】
本発明は上記の如き課題を解決するために従来装置に改良を加えたものであって、インフルエンザ用ワクチン及び動物用ワクチンの製造に必要な有精卵を検卵する装置において、孵卵機から引き出した台車から有精卵の入ったトレーを取出用パレットに乗せ移動させて検卵作業に搬送する卵投入部と、前記卵投入部から搬送されたトレーに入っている有精卵を下部から押し上げ上下に移動して有精卵の歪み位置を正常に整列する卵整列部と、前記卵整列部で数列に並んだ数十個の有精卵を１列おきに下部の卵座で持ち上げかつハロゲン・ランプの光に押し当て、更に無精卵と有精卵の判別及び有精卵内の血管の発育状態を確認する第１次検査部と、前記第１次検査部の情報を受けて無精卵と発育異常卵とを吸引して廃棄卵入れに移動する無精卵及び発育異常卵排出部と、前記無精卵及び発育異常卵排出部の情報を受けかつ空いた部分へ検卵済みの良質の有精卵を自動供給する優良卵供給部と、前記優良卵供給部から供給されてきた有精卵を再度検卵して検卵ミスが無いように再確認して発育鶏卵の検査制度を高める第２次検査部と、前記２次検査終了後に卵を検卵機に戻して次工程に待機させておく卵取出部とから構成される検卵装置に画像で検卵処理する画像処理システムと画像で検卵処理する画像処理用カメラとを付設し、前記システムとカメラを介して検卵部でライトアップしたのち画像処理にて良否判定を行うとともに、不良品と自動的に取り出して卵内血管の発育状態と活力とを人の目視により確認可能とし、かつ複数卵の発育状態を離れた位置で画像判定を可能にしたことを特徴とする有精卵自動検卵装置の提供にある。
【発明の効果】
【０００７】
本発明は、インフルエンザ用ワクチン及び動物用ワクチンの製造に必要な有精卵を検卵する装置において、孵卵機から引き出した台車から有精卵の入ったトレーを取出用パレットに乗せ移動させて検卵作業に搬送する卵投入部と、前記卵投入部から搬送されたトレーに入っている有精卵を下部から押し上げ上下に移動して有精卵の歪み位置を正常に整列する卵整列部と、前記卵整列部で数列に並んだ数十個の有精卵を１列おきに下部の卵座で持ち上げかつハロゲン・ランプの光に押し当て、更に無精卵と有精卵の判別及び有精卵内の血管の発育状態を確認する第１次検査部と、前記第１次検査部の情報を受けて無精卵と発育異常卵とを吸引して廃棄卵入れに移動する無精卵及び発育異常卵排出部と、前記無精卵及び発育異常卵排出部の情報を受けかつ空いた部分へ検卵済みの良質の有精卵を自動供給する優良卵供給部と、前記優良卵供給部から供給されてきた有精卵を再度検卵して検卵ミスが無いように再確認して発育鶏卵の検査制度を高める第２次検査部と、前記２次検査終了後に卵を検卵機に戻して次工程に待機させておく卵取出部とから構成される検卵装置に画像で検卵処理する画像処理システムと画像で検卵処理する画像処理用カメラとを付設し、前記システムとカメラを介して検卵部でライトアップしたのち画像処理にて良否判定を行うとともに、不良品と自動的に取り出して卵内血管の発育状態と活力とを人の目視により確認可能とし、かつ複数卵の発育状態を離れた位置で画像判定を可能にしたことを特徴とする有精卵自動検卵装置であるから、従来装置では得られない次のような多くの効果を有する。
ア、従来の検卵は、一人の作業員が電球の明かりを卵に当て発育状態を確認していることにより作業員が職人化している問題があったが、本発明によれば誰でも判断できる機能にすることにより職人化を防ぐことが可能となった。
イ、本発明は発育しつつある有精卵の卵殻に光を当てて卵内の血管の発育状態及び活力を確認することは従来と変わらないが、本発明にすることによってハロゲンランプの強い光を複数の卵に同時に当て離れた位置から見ることにより、複数卵の発育状態を比較することができるので確実に優良な発育卵と不良卵を複数の作業員が確認でき、しかも学習できることにより作業員が職人化することを防ぎ、誰でも検卵作業の交替ができる。
ウ、また本発明によれば、個々卵の判断でなく複数の卵を比較することにより判断レベルを向上することでワクチン製造上、品質及び有効率向上を図ることができる。
エ、更に本発明のように自動システム化にすることによって、検卵精度を高めることができるとともに常に安定供給を図ることができるので大量の企業化が可能となる。
オ、更に本発明によれば、自動画像通信システム用の見出しシートと発信局及び受信局を固定するデータを与える自動画像通信システム用の見出しシートを提供することが可能となる。
カ、更に本発明によれば、通信回線を利用して鶏卵選別に遠隔監視することによって、通信費用の節減が図れるとともに各装置やシステムの異常有無の確認を可能にすることができる。
キ、なお、インフルエンザなどのワクチンが世界的にも不足しており、今後も一層不足が進む中で本発明のような装置を国内はもとより海外にも提供することによって、内外国の医療機関に貢献することができる。
【発明を実施するための最良の形態】
【０００８】
本発明の最良な実施形態は、インフルエンザ用ワクチン及び動物用ワクチンの製造に必要な有精卵を検卵する装置において、孵卵機から引き出した台車から有精卵の入ったトレーを取出用パレットに乗せ移動させて検卵作業に搬送する卵投入部と、前記卵投入部から搬送されたトレーに入っている有精卵を下部から押し上げ上下に移動して有精卵の歪み位置を正常に整列する卵整列部と、前記卵整列部で数列に並んだ数十個の有精卵を１列おきに下部の卵座で持ち上げかつハロゲン・ランプの光に押し当て、更に無精卵と有精卵の判別及び有精卵内の血管の発育状態を確認する第１次検査部と、前記ハロゲン・ランプの上にあるスイッチボタンを押して除去する検卵上の電源を切りかつ前記ハロゲン・ランプを遮光した後に排出部へ情報を伝達する第２次検査部と、前記第１次及び第２次の検査部の情報を受けて無精卵と発育異常卵とを吸引して廃棄卵入れに移動する無精卵と発育異常卵排出部と、前記無精卵と発育異常卵排出部の情報を受けかつ空いた部分へ検卵済みの良質の有精卵を自動供給する優良卵供給部と、前記優良卵供給部から供給されてきた有精卵を再度検卵して検卵ミスが無いように再検査する第２次検査部と、前記２次検査終了後に卵を検卵機に戻して次工程に待機させておく卵取出部と、から構成されることを特徴とする有精卵自動検卵装置であり、また前記の卵投入部がテーブル上に固定されているカバー上にレールを敷設しかつ該レールの外側にローラ支柱を固定し該ローラ支柱間にローラを配設してなるローラ軸を取付けなり更に前記カバーにカバーパイプ用の穴を設けかつ該穴を介してパイプの上下移動を可能にしてなる有精卵自動検卵装置であり、また前記の卵整列部にロッドレスシリンダーを介してシャットを上下移動させカバーパイプ内のパイプを上下に移動してなる有精卵自動検卵装置であり、また前記の第１次及び第２次の検査部に先端に吸着ペットを有するスリーブを６分岐ライトガイドに内設しかつ該ライトガイドに照光式ボタンスイッチを付設してなる有精卵自動検卵装置であり、また前記の無精卵と発育異常卵排出部及び優良卵供給部に吸着パットを有するパット用ベースを隔壁ジョイント用ベースを介してシリンダジョイント用ベースに吸着してなる有精卵自動検卵装置であり、また前記の卵取出部にセンサー取付板に付設されているセンサーを介してスナップピンを作動し次工程に待機してなる有精卵自動検卵装置であるから、従来検卵方法では得られない作用効果が得られる装置を提供することができる。  また本発明の最良な実施形態は、前各請求項から構成される有精卵自動検卵装置において操作パネルの電源ポタンをＯＮにして操作パネルのメインメニュー画面を表示し、ついで手動操作を作動し手動操作画面を表示して希望の手動操作エリアを選択し、ついで原点復帰を行い起動／停止画面に切り替えかつ自動運転継続後に停止する有精卵自動検卵装置であり、また前記の作動操作においてトレー供給部画面・ピッチ送部画面・ＮＧ排出部画面・異常表示画面・装置状態画面・モニター画面を手動操作してなる有精卵自動検卵装置であるから、高精度の検卵をすべて自動化システムで行うことができるので国内はもとより海外でも広く市場化を図ることができる。
【０００９】
更に本発明の最良な実施形態は、インフルエンザ用ワクチン及び動物用ワクチンの製造に必要な有精卵を検卵する装置において、孵卵機から引き出した台車から有精卵の入ったトレーを取出用パレットに乗せ移動させて検卵作業に搬送する卵投入部と、前記卵投入部から搬送されたトレーに入っている有精卵を下部から押し上げ上下に移動して有精卵の歪み位置を正常に整列する卵整列部と、前記卵整列部で数列に並んだ数十個の有精卵を１列おきに下部の卵座で持ち上げかつハロゲン・ランプの光に押し当て、更に無精卵と有精卵の判別及び有精卵内の血管の発育状態を確認する第１次検査部と、前記ハロゲン・ランプの上にあるスイッチボタンを押して除去する卵上の電源を切りかつ前記ハロゲン・ランプを遮光した後に排出部へ情報を伝達する第２次検査部と、前記第１次及び第２次の検査部の情報を受けて無精卵と発育異常卵とを吸引して廃棄卵入れに移動する無精卵と発育異常卵排出部と、前記無精卵と発育異常卵排出部の情報を受けかつ空いた部分へ検卵済みの良質の有精卵を自動供給する優良卵供給部と、前記優良卵供給部から供給されてきた有精卵を再度検卵して検卵ミスが無いように再検査する第２次検査部と、前記２次検査終了後に卵を検卵機に戻して次工程に待機させておく卵取出部と、から構成される有精卵自動検卵装置において、順次実質上平行なラインに従うラスターパターンで書類のシートを順次走査する走査手段を備えた画像通信の送信システムであって、各縁に沿って形成されており見出しシートが見出しシートであることを前記走査手段の走査時に同定する同様なマークパターンと、該見出しシートのある縁が前記ラスターパターンにより最初に走査される先行縁であることを固定する前記同様なマークパターン内に形成されたバリエーション部と、から成る境界部を設けた画像通信システムを有することを特徴とする有精卵自動検卵装置であるから、検卵部でライトアップしたのち画像処理による良否判定を行うことができるので、次工程で不良品を自動的に取り出すことができる。更に卵内血管の発育状態と活力が確認可能となり、また複数卵の発育状態と離れた位置での画像判定が可能となるので作業員の無人化ができる。また、従来方法よりも判断レベルが上がりワクチン製造での品質と有効率向上が図れるなどの効果が得られる。
【００１０】
更に本発明の最良な実施形態は、前記の画像通信システムにおいて通信回線を利用した卵選別の遠隔監視システムにあって、前記卵選別システムの運転状況を判断する際の異常の程度に少なくとも２つの階段を設け、重要度の高い異常があれば直ちに異常の発生時刻とその内容を通信回線にして遠隔監視側に送信し、一方重要度の低い異常のときは異常の発生時刻とその内容をメモリーに記憶し定められた周期または遠隔監視側からの要求に応じて送信することを特徴とする通信回線を利用した卵選別の遠隔監視システムを有する有精卵自動検卵装置であるから、卵選別の遠隔操作が可能となる。
【実施例１】
【００１１】
以下、図面によって本発明の実施例について説明する。
【００１２】
図１乃至図５は本発明の有精卵自動検卵装置を示したものであり、１はその有精卵自動装置本体である。この有精卵自動装置本体１は、卵投入部と卵整列部と検査部と卵取出部とに大別できるが、具体的には光照射部２と空気圧表示部３と卵吸引排出部４と光照射部５と卵持上部６とから構成され、更にエッグトレー７と検卵部８と卵持上部卵座９と卵排出開リフター部１０と卵吸引部１１とから構成されている。なお、１２は卵検視部、１３は卵進行用スイッチ、１４に卵自動供給用スペース、１５は卵進行ストップ用センサー、１６は載置台、１７はパレットすべり止め、１８はローラ、１９はエアーパイプ、２０は卵吸引用エアーパイプ、２１は卵吸引部、２２は吸引卵廃棄部である。
【００１３】
図６乃至図１１は本発明装置の要部を示したものであり、図６は検査部の拡大正面部であり、図７は検査部の拡大斜視図であり、図８は卵投入部の拡大正面図であり、図９は卵整列部の拡大斜視図であり、図１０は卵整列部の拡大正面図であり、図１１は卵排出部の側面図である。図中２３はリフター用エアシリンダー、２４はリフト用シリンダー、２５はスタートボタン、２６は補給用リフトアーム、２７はリフター、２８はケーブル受台である。
【００１４】
図１２乃至図１６は本発明装置の他の実施例を示したものであって、図１に示した本発明装置に画像処理システムを付設したものである。すなわち、有精卵自動検卵装置本体３１に画像処理システムＷと、画像処理用カメラＹを取り付けたものである。この画像処理システムＷを付設することによって、検卵部でライトアップしたのち画像処理による良否判定を行うことができるので次工程で不良品を自動的に取り出すことができる。更に、卵内血管の発育状態と活力が確認可能となり、また複数卵の発育状態の比較と離れた位置での画像判定学習が可能となるので作業員の無人化ができる。また、従来方法よりも判断レベルが上がりワクチン製造での品質と有効向上が図れるなどの効果が得られる。なお、図中３２は光照射部、３３は空気圧表示部、３４と３５は卵吸引廃出部である。
【００１５】
次に本発明の画像通信システムに用いられる見出しシートについて説明すれば、まず境界部４３は左右上下に関して非対称となっている。すなわち、左縁には中央近くに２つの近接した太いコード・バーがあるのに対し右縁には上端近くに１本の太いコード・バーと垂直に置かれた短いコード・バーがあり、下端近くに１本の太いコード・バーと垂直に置かれた短いコード・バーがある。上縁と下縁の区別は、コード・バーと上縁のハッシュマークとの隔たりをコード・バーと下縁のハッシュマークとの隔りより小さくすることでなされる。見出しシート１０の裏面のハッシュマーク境界線は表の面と同じであり、同一のコード・バーが同様に配置されている。そこで、見出しシート４２の配置具合にかかわらず最初にスキャンされる意味ある情報は必ずハッシュマークの境界線４３になる。したがって、システムはハッシュマークの走査が行われたことをもって、そのシートを見出しシート４２であると固定することができる。つまり、最初走査される（先行縁）が例えば左縁となるような配置をもって適正な配置とする。この左縁の固定は、走査装置にコード・バーを読み取らせることによって直ちに行なわれる。そして、見出しシート４２の配置が悪い場合には走査装置によりそれぞれ右縁のコード・バーの検出、あるいは上下のハッシュマークの境界線４３にコード・バーがないことが調べられるので配置ミスも直にち判明されることになる。一方、適正配置の場合には後縁（右縁）コード・バーの検出により見出しシート４３の走査が完了したことがわかる。また、見出しシート４３の配置具合が悪い場合には配置間違いであることを表わす信号を出力させ、そのシートは除外するように構成されている。
【００１６】
また見出しシート４２のデータ領域は基本的には２つの部分から成る。１つは送る側を固定する領域で、もう一つは送り先を固定する領域である。この各データ領域には、人が見てすぐわかるようにするため言語等によって記載される領域が設けられている。またデータ領域では、その物理的位置が光学走査により読み取られこのようにすることにより、ペンや鉛筆で記入した卵領域のみがデータとして認知されることになる。また視覚認識用の領域には、手書きかタイプ打ちにより視覚情報を記入する。この視覚情報は、ファクシミリ伝送システム４１の画像通信の一部として伝送され受信側で再生される。なお、図中４３はトレイ、４４はセパレータ、４５はシート送装置、４６はコンベアベルト、４７はゲート、４８は取出装置、４９はキャスター、５０は収集ピン、５１は周期制御装置番号、５２は記憶装置、５３はインターフェイス、５４はアンテナ及びＴは書類である。
【００１７】
次に、図１７により通信図線を利用した卵選別の遠隔監視システムについて説明すれば、卵の物理的特徴検出装置が正常に稼動しているか否かの判断を行い、その結果異常があると判断された場合は次のような対応がなされる。まず、検出装置が稼動を停止したことを示す情報や、稼動はしているが故障している蓋然性が高いと判断される情報など重要度の高い異常があると判断される情報が得られた場合には「重度の異常」と判断される。この場合には、直ちに電話回線７０の通信回線を通じて異常の内容がメンテナンスを担当する業者の監視センター７１のコンピュータ７２に送信される。これにより、専門知識を有する技術部員による迅速な復旧が可能となる。また「重度の異常」と判断された場合には、同時に選別装置制御ユニットに対して緊急の停止信号が発せられ選別装置全体の稼動を停止させる。次に重要度の低い異常があると判断される情報、あるいは少しでも異常があると疑われる情報が得られると「軽度の異常」と判断される。この場合には、異常の内容が直ちにメンテナンスを担当する業者の監視センナー７１のコンピュータ７２に送信されるのではなく異常の発生時刻とその内容が客先の制御装置のメモリーに記憶され、定められた周期または監視センター７１側からの呼出しに応じて電話回線７０の通信回線を通じて、前記記憶内容がメンテナンスを担当する業者の監視センター７１のコンピュータ７２に送信される。この場合、異常の重要度は低いので選別装置の稼動は停止されることなく続行される。なお、図中６１は計量器、６２は分配放出制御器、６３はシャッタ、６４は境界卵重設定器、６５はメモリー、６６は判定装置、６７はデータ送信、６８は被選別群情報入力装置、６９は被選別群情報である。
【００１８】
このように構成してなる本発明装置は、孵卵機から引き出した台車から有精卵の入ったトレーを取出用パレットに乗せ移動させて検卵作業に搬送する卵投入部と、前記卵投入部から搬送されたトレーに入っている有精卵を下部から押し上げ上下に移動して有精卵の歪み位置を正常に整列する卵整列部と、前記卵整列部で数列に並んだ数十個の有精卵を１列おきに下部の卵座で持ち上げかつハロゲン・ランプの光に押し当て、更に無精卵と有精卵の判別及び有精卵内の血管の発育状態を確認する第１次検査部と、前記ハロゲン・ランプの上にあるスイッチボタンを押して除去する卵上の電源を切りかつ前記ハロゲン・ランプを遮光した後に排出部へ情報を伝達する第２次検査部と、前記第１次及び第２次の検査部の情報を受けて無精卵と発育異常卵とを吸引して廃棄卵入れに移動する無精卵と発育異常卵排出部と、前記無精卵と発育異常卵排出部の情報を受けかつ空いた部分へ検卵済みの良質の有精卵を自動供給する優良卵供給部と、前記優良卵供給部から供給されてきた有精卵を再度検卵して検卵ミスが無いように再検査する第２次検査部と、前記２次検査終了後に卵を検卵機に戻して次工程に待機させておく卵取出部とから構成されており、更に検卵投入部がテーブル上に固定されているカバー上にレールを敷設しかつ該レールの外側にローラ支柱を固定し該ローラ支柱間にローラを配設してなるローラ軸を取付けなり更に前記カバーにカバーパイプ用の穴を設けかつ該穴を介してパイプの上下移動を可能にしてなり、また卵整列部にロッドレスシリンダーを介してシャットを上下移動させカバーパイプ内のパイプを上下に移動してなり、また第１次及び第２次の検査部に先端に吸着ペットを有するスリーブを６分岐ライトガイドに内設しかつ該ライトガイドに照光式ボタンスイッチを付設してなり、また無精卵と発育異常卵排出部及び優良卵供給部に吸着パットを有するパット用ベースを隔壁ジョイント用ベースを介してシリンダジョイント用ベースに吸着してなり、また卵取出部にセンサー取付板に付設されているセンサーを介してスナップピンを作動し次工程に待機してなる有精卵自動検卵装置である。
【００１９】
更に前記構成される有精卵自動検卵装置において、操作パネルの電源ポタンをＯＮにして操作パネルのメインメニュー画面を表示し、ついで手動操作を作動し手動操作画面を表示して希望の手動操作エリアを選択し、ついで原点復帰を行い起動／停止画面に切り替えかつ自動運転継続後に停止するように構成されるとともに、前記作動操作においてトレー供給部画面・ピッチ送部画面・ＮＧ排出部画面・異常表示画面・装置状態画面・モニター画面を手動操作してなる有精卵自動検卵装置である。
【００２０】
なお、エッグトレー７には検査用卵Ｓが３６個づつ投入され卵受卵台車により移動するように構成されており、また卵持上卵座の検査用卵Ｓは空気圧で持ち上げられるように構成されており、前記エッグトレー７に収納されている検査用卵Ｓは３６個全部に光を当てずに１列毎に光を当てることで鮮明に卵の内部が見えるように卵検視部１２は構成されている。また検卵済の検査用卵Ｓは手動式の卵進行スイッチ１３で操作できるように構成されている。また卵自動供給用又スペース１４では良質な卵を補充できるように構成されている。また卵進行ストップ用センサー１５は手元のストップ用スイッチで操作できるように構成されている。また光照射部３はハロゲン・ランプを用いている。また卵持上用卵座６は、検査用卵Ｓを１〜３回程度持ち上げ繰り返すことで正常な位置で制止するように構成されている。また空気圧表示板３は、検査部で廃棄用卵の信号発信を受けて卵を吸引するように構成されている。
【００２１】
次に本発明の有精卵自動検卵装置の操作方法について説明する。
【００２２】
１  自動運転立ち上げ操作手順
【００２３】
【表１】
2011169626.tif 000003
【００２４】
【表２】
2011169626.tif 000004
２  自動運転の最終払出と停止
【００２５】
【表３】
2011169626.tif 000005
３  手動操作
【００２６】
【表４】
2011169626.tif 000006
【００２７】
【表５】
2011169626.tif 000007
【００２８】
【表６】
2011169626.tif 000008
【００２９】
【表７】
2011169626.tif 000009
【００３０】
【表８】
2011169626.tif 000010
【００３１】
【表９】
2011169626.tif 000011
４  異常と対処
【００３２】
【表１０】
2011169626.tif 000012
【００３３】
【表１１】
2011169626.tif 000013
【００３４】
【表１２】
2011169626.tif 000014
【００３５】
【表１３】
2011169626.tif 000015
【００３６】
【表１４】
2011169626.tif 000016
５  モニター
【００３７】
【表１５】
2011169626.tif 000017
【００３８】
【表１６】
2011169626.tif 000018
６  シグナルタワー
【００３９】
【表１７】
2011169626.tif 000019
故障時の対策
【００４０】
【表１８】
2011169626.tif 000020
保守点検
【００４１】
【表１９】
2011169626.tif 000021
【図面の簡単な説明】
【００４２】
【図１】本発明装置の全体斜視図。
【図２】本発明装置の全体正面図。
【図３】本発明装置の全体平面図。
【図４】本発明装置の側面図。
【図５】本発明装置の側面図。
【図６】本発明装置の検査部拡大正面図。
【図７】本発明装置の検査部拡大斜視図。
【図８】本発明装置の投入部拡大正面図。
【図９】本発明装置の整列部拡大斜視図。
【図１０】本発明装置の整列部拡大正面図。
【図１１】本発明装置の排出部拡大側面図。
【図１２】本発明の他の実施例を示した全体斜視図。
【図１３】図１２に示した要部の一部拡大斜視図。
【図１４】本発明の画像通信システムの要部を示した斜視図
【図１５】図１４に示した画像通信システムの使用状態図。
【図１６】本発明システムに使用されるファクシミリ送信システムを示した概要説明図。
【図１７】本発明システムの遠隔監視装置を示した概要説明図。
【図１８】従来システムの実施例を示した概略構成図。
【図１９】図１８に示した画像撮像用の立面概略図。
【図２０】図１８に示した画像撮像用の立面概略図。
【図２１】図１８に示した画像撮像用の平面概略図。
【符号の説明】
【００４３】
１、３１  有精卵自動検卵装置本体    ２、５、３２  光照射部
３、３３  空気圧表示部              ４、３４  卵吸引廃出部
６、３６  卵持上部                  ７  エッグトレー
８  検査部                          ９  卵持上卵座
１０  卵廃出用リフター部            １１、３７  卵吸引部
１２  卵検視部                      １３  卵進行用スイッチ
１４  卵自動供給用スペース          １５  卵進行ストップ用センサー
１６  載置台                        １７  パレットすべり止め
１８  ローラ                        １９  エアーパイプ
２０  卵吸引用エアーパイプ          ２１  卵吸引部
２２  吸引卵廃棄部                  ２３  リフター用エアシリンダー
２４  リフト用エアシリンダー        ２５  スタートボタン
２６  配給用リフトアーム            ２７  リフター
２８  ケーブル受台                  ４１  ファクシミリ伝送システム
４２  見出シート                    ４３  境界部
４３  トレイ                        ４４  セパレータ
４５  シート送装置                  ４６  コンベアベルト
４７  ゲート                        ４８  取出装置
４９  スキャナ                      ５０  収集ピン
５１  周期制御装置番号              ５２  記憶装置
５３  インターフェイス              ５４  アンテナ
６１  計量器                        ６２  分配放出制御器
６３  シャッタ                      ６４  境界卵重設定器
６５  メモリー                      ６６  判定装置
６７  データ送信                    ６８  被選別群情報入力装置
６９  被選別群情報                  ７０  電話回線
７１  監視センター                  ７２  コンピュータ
Ｓ  検査用卵                        Ｍ  検査者
Ｙ  画像処理用カメラ                Ｔ  書類
Ｗ  画像処理システム
【図１】
2011169626.tif 000022
【図２】
2011169626.tif 000023
【図３】
2011169626.tif 000024
【図４】
2011169626.tif 000025
【図５】
2011169626.tif 000026
【図６】
2011169626.tif 000027
【図７】
2011169626.tif 000028
【図８】
2011169626.tif 000029
【図９】
2011169626.tif 000030
【図１０】
2011169626.tif 000031
【図１１】
2011169626.tif 000032
【図１２】
2011169626.tif 000033
【図１３】
2011169626.tif 000034
【図１４】
2011169626.tif 000035
【図１５】
2011169626.tif 000036
【図１６】
2011169626.tif 000037
【図１７】
2011169626.tif 000038
【図１８】
2011169626.tif 000039
【図１９】
2011169626.tif 000040
【図２０】
2011169626.tif 000041
【図２１】
2011169626.tif 000042